(57)【要約】      （修正有）【課題】睡眠時において地震などの災害によるアクシデントな落下物から大事な頭部や顔面を防護し、なおかつリラックスな安眠の為の防音、防寒、プライバシー保護、保湿、インテリアとしての装飾性を重視し、かつ簡単で安全確実にどのような形状のベットに取り付け可能な安眠防護上飾りカーテン装置とする【解決手段】あらゆる形状のベッドに簡単に安全確実にセットできる防護上飾り型カーテン装置。ベッド上部のヘッドボード３とベッドとマット４の間にＬ型の防護上飾りカーテン装置を固定しＬ型部分上部のマジックテープ部分１ｃに上飾りカーテン２を取り付け、上飾りカーテンは着脱可能で様々な素材やスタイルで構成される。防護上飾りカーテン装置本体のＬ型部分二箇所にある可動部分を曲げコの字型に変形させて使用することにより大事な頭部、顔面を覆い防護、防寒、防音、プライバシー保護、保湿することを特徴とする。【選択図】図３
2016209499.tif 000002
【特許請求の範囲】
【請求項１】
あらゆる形状のベッドに簡単に安全確実にセットできる防護上飾りカーテン装置
ベッド上部のヘッドボードとベッドとマットの間にＬ型の防護上飾りカーテン装置を固定しＬ型部分上部のマジックテープ部分に上飾りカーテンを取り付け上飾りカーテンは着脱可能で様々な素材やスタイルで構成される。防護上飾りカーテン装置本体のＬ型部分二箇所にある可動部分を曲げコの字型に変形させて使用することにより大事な頭部、顔面を覆い防護、防寒、防音、プライバシー保護、保湿することを特徴とするものである。
【発明の詳細な説明】
【技術分野】
【０００１】本発明は睡眠時において防護、防寒、防音、プライバシー保護、保湿、装飾性に優れた上飾りカーテン装置に関するものである
【背景技術】
【０００２】東日本大震災や阪神淡路大震災など地震大国日本において睡眠時大事な頭部や顔面を守る防災器具は必要とされている
また睡眠時において寒さや騒音、乾燥や寝顔を見られたくない等、様々な要因で安眠しにくいなどの問題を解決する為にヨーロッパでは装飾性の高いベッド天蓋が用いられてきたが壁に特殊レールを設置したり天井から特殊金具を取り付けるなど一度付けると容易にベッドの移動もできず掃除や取替も大変なうえに大型で金額も高額であり、そもそも日本の天井の低い建築では本場ヨーロッパの天蓋は大型すぎて不向きであった
ヨーロッパのベッド天蓋は装飾性を重視しているので機能性は満足できるレベルではなかった。
【発明が解決しようとする課題】
【０００３】本発明は上記の問題を解決し様々なスタイルのベッドに対応し、なおかつ災害時において大事な頭部、顔面を安全に防護しあらゆるベッドに簡単に取り付けられ、安全確実に所定ベッド上部の位置にセットでき、安価でコンパクトにまとまり防護、防寒、防音、プライバシー保護、保湿、装飾性に優れた上飾り型カーテン装置を提供することを目的とし完成させたものである。
【課題を解決するための手段】
【０００４】上記課題を解決するために本発明の防護上飾り型カーテン装置はベッド上部のヘッドボードとベッドとマットの間にＬ型の防護上飾りカーテン装置を固定しＬ型部分上部のマジックテープ部分に上飾りカーテンを取り付け防護上飾りカーテン本体のＬ型部分二箇所にある可動部分を曲げコの字型に変形させて使用することにより大事な頭部、顔面を覆い保護することを特徴とするものである。
【発明の効果】
【０００５】本発明の上飾り型カーテン装置はヘッドボード、ベッド、マットの三点で挟み込むように固定しているので転倒の危険性もなく簡単に取り付け取り外しができ安全である。
就寝時には自分の体重もマットに荷重され、より強固に固定される。
三点で挟み込んでいるだけなので簡単に取り外し持ち運びができ、いかなる形状のベッドにも取り付け可能である。
【０００６】防災性安全性
睡眠時、無法備な頭部や顔面を（図１、２、４の１ａおよび２ｂ）の可動部分の角度を最大限に曲げることにより頭部、顔面を守る屋根のような役割を果たし防災器具として大事な頭部、顔面を安全に防護し地震など災害やアクシデントによる様々な落下物から大事な頭部、顔面を守ることができる。
【０００７】保湿性
冬場の睡眠時は特に乾燥しがちだが風邪のウィルスは乾燥を好みます
部屋の空気が乾燥していると粘膜が乾燥して炎症をおこしウィルスを侵入させやすくなります。枕元にコップ一杯の水を置くといいと言われますがコップを倒したりする可能性もあります。乾燥を防ぐために上飾りカーテン裏に設けたボックス部分に（図１，２、３の１ｄ）水に浸したスポンジを装着することにより就寝時の湿度を保ち乾燥を防ぎ粘膜の炎症を抑えることが可能。
スポンジにアロマオイルを染み込ませれば就寝時アロマ効果でリラックスでき深い眠りにつくことができます。
【０００８】防寒性防音性
上飾りカーテンは平常時垂直にまっすぐのびたＬ型の状態でもベッド上部の上飾りカーテンになり装飾性に優れている。就寝時上飾りカーテン装置の可動部分（図１、２、３の１ａおよび１ｂ）の角度を曲げることにより上飾りカーテン装置が頭部、顔面を落下物などから守れる屋根のようなスタイルになり上飾りカーテン装置上部に取り付けられたマジックテープに上飾りカーテン生地を取り付け、生地をベッド側面に垂らし頭部、顔面を覆い隠すことができる。それにより外部の寒さ音を遮ることができる。頭部、顔面を上飾りカーテン生地で覆うことにより外からの音を遮るだけでなく内部からの音漏れも軽減される
【０００９】機能性
上飾りカーテン装置上部裏側に設置されたデジタル目覚まし時計により真っ暗な室内でも時計のボタンを押せば容易に時間を確認でき確実な頭部上部に設置された目覚ましで目覚めることができる。
【発明を実施するための最良の形態】
【００１０】以下に図面を参照しつつ本発明の好ましい実施の形態を示す。
図１の斜視図１，２，３は本発明の上飾りカーテン装置をベッドに装着した状態での全体斜視図であり図１において１は防護上飾りカーテン装置本体である
本体１の上部Ｒ部分にマジックテープ凹が備え付けられており上飾りカーテンにマジックテープ凸を縫製することにより様々な素材のスタイルカーテンを簡単に取り付け取り外しができる。【００１１】図２設置側面図１、２、３は本発明の防護上飾りカーテン装置をベッドに装着した状態での全体側面図であり、図解で示すとおり本体１を、３のヘッドボード、５のマット三点で挟み込む形状である、ヘッドボード３に本体１を垂直に添わせることにより起立した状態でも十分な強度を保つことができ本体下部の平行部分をマットの下にセットすることによりマットの重さで上飾りカーテン装置をしっかり起立した状態で保持することができる
就寝時にはマットに自分の体重も荷重されるので上飾りカーテン装置はさらに強度を保ちしっかりと固定される【００１２】図２の設置側面図１，２，３にあるようにＬ型の形状の垂直部分２か所に可動部１ａと可動部１ｂがあり角度を自ら調整することができ自分の好みに応じ様々なスタイルを楽しむことができる。図２の３のように角度を最大まで下げれば完全に頭を覆い突然の落下物などから大事な頭部を保護することができる。【００１３】図３の上飾りカーテン設置斜視図の実施例のように本体１に上飾りカーテン２のスタイルは一例でありマジックテープで簡単に取り外し交換ができるため色、柄、スタイルと自分の好みに応じて変更でき洗濯も容易で衛生的である
【図面の簡単な説明】
【００１４】
【図１】上飾りカーテン装置の実施の形態を示す全体斜視図である
【図２】上飾りカーテン装置の実施の形態を示す設置側面図である
【図３】本発明に上飾りカーテンを設置した斜視図である
【図４】上飾りカーテン装置を示す平面図である
【符号の説明】
【００１５】１  上飾りカーテン装置
１ａ  上飾りカーテン装置上部可動部
１ｂ  上飾りカーテン装置下部可動部
１ｃ  Ｒ型マジックテープ
１ｄ  保湿用スポンジボックス
１ｅ  デジタル目覚まし時計
２  上飾りカーテン
３  ヘッドボード
４  マット
５  ベッド
６  枕
【図１】
2016209499.tif 000003
【図２】
2016209499.tif 000004
【図３】
2016209499.tif 000005
【図４】
2016209499.tif 000006